(57)【要約】  本発明は、移動通信端末装置を操作するための、および／または移動通信ネットワークを介してアクセス可能なサービスの利用のためのユーザインタフェースを有し、かつメニュー構造およびメニュー構造を視覚化するためのグラフィックユーザインタフェースを有する移動通信端末装置であって、移動通信端末装置がオペレーティングシステムによって操作され、ユーザインタフェースが、移動通信端末装置のオペレーティングシステムから独立して、特にネットワークプロバイダ特有の方式で実行可能で、ユーザインタフェース用に必要なデータが、移動通信端末装置から独立したメモリユニットによって供給される移動通信端末装置に関する。【特許請求の範囲】
【請求項１】
移動無線端末を制御することか、移動無線ネットワークを介して呼び出すことができるサービスを利用することの少なくとも一方のためのユーザインタフェースを有し、メニュー構造を有し、かつ前記メニュー構造の視覚化用のグラフィカル使用面を有する移動無線端末であり、前記移動無線端末がオペレーティングシステムによって操作され、前記ユーザインタフェースが、移動無線端末の前記オペレーティングシステムと独立して実装でき、特に、ネットワークプロバイダ特有のベースに基づいて実装でき、前記ユーザインタフェース用に必要なデータが、前記移動無線端末に依存しないメモリユニットから供給できる移動無線端末において、前記メモリユニットが、前記移動無線端末に接続できる識別モジュールであること、特に、前記メモリユニットが、ＳＩＭカードもしくはＵＳＩＭカードであるか、または前記メモリユニットが、前記使用面が実現されるコンピュータ、特にサーバであること、および前記コンピュータへのデータリンクを設定するためのリンクが、前記識別モジュールに記憶され、特に、前記ユーザインタフェース用に必要な前記データが、前記コンピュータから識別モジュールまたは前記端末のメモリにダウンロードできること、を特徴とする移動無線端末。
【請求項２】
前記グラフィカル使用面が、前記端末のディスプレイの一実行環境において表示および制御でき、前記端末の機能とプロバイダのサービスの少なくとも一方を備えたメニューが、前記実行環境を介して選択できること、特に、前記実行環境が、解釈プログラム、特にブラウザであること、を特徴とする、請求項１に記載の移動無線端末。
【請求項３】
移動無線端末の前記識別モジュールの少なくとも一部が、ユーザインタフェースの前記使用面の表示のために必要なデータを提供するｈｔｔｐサーバとして構成されることと、前記実行環境が解釈プログラム、特にブラウザであることと、を特徴とする請求項１または２に記載の移動無線端末。
【請求項４】
前記ユーザインタフェースが、マークアッププログラミング言語を用いて、特にＨＴＭＬ、ＷＭＬまたはＸＭＬを用いてプログラムされ、かつ適切な解釈プログラムによって表示および制御できる、請求項１〜３のいずれか一項に記載の移動無線端末。
【請求項５】
前記メモリユニットか前記移動無線端末の少なくとも一方に記憶され、かつ前記メニュー構造を介して選択、表示、実行もしくは制御できるネットワークプロバイダ特有データかアプリケーションの少なくとも一方が、前記ユーザインタフェースと関連づけられることを特徴とする、請求項１〜４のいずれか一項に記載の移動無線端末。
【請求項６】
前記ユーザインタフェースの前記メニュー構造における部分、特に個々のサブメニューと、前記メニュー構造を設定するための前記データにおける部分の少なくとも一方が、端末か、前記ネットワークプロバイダもしくは第三者のコンピュータの少なくとも一方に置かれることを特徴とする、請求項１〜５のいずれか一項に記載の移動無線端末。
【請求項７】
前記ユーザインタフェースが、少なくとも１つのアプリケーションを有し、これによって、サーバへのオンラインデータリンクを設定できることを特徴とする、請求項１〜６のいずれか一項に記載の移動無線端末。
【発明の詳細な説明】
【技術分野】
【０００１】
本発明は、移動無線端末を制御するための、および／または移動無線ネットワークを介して呼び出すことができるサービスを利用するためのユーザインタフェースを有し、メニュー構造を有し、かつメニュー構造の視覚化用のグラフィカル（使用インタフェース）面を有する移動無線端末であって、オペレーティングシステムによって制御される移動無線端末に関する。
【背景技術】
【０００２】
現代のＧＳＭおよびＵＭＴＳ移動無線ネットワーク（ＧＳＭ（グローバル・システム・フォー・モバイル・コミュニケーション））、ＵＭＴＳ（ユニバーサル・モバイル・テレコミュニケーション・システム））用の携帯電話などの移動無線端末は、また同時には移動無線サービスのプロバイダでも移動無線通信事業者でもないメーカーによって製造される。メーカーは、携帯電話を制御するために、およびネットワークサービスを設定するために必要なオペレーティングシステムと同様に、通信事業者およびネットワークプロバイダによって提供されるサービスの大部分を適切に制御できる、必要な標準ソフトウェアを、自分たちの携帯電話に直接装備する。しかしながら、ネットワークプロバイダおよび通信事業者は、次のことをますます要求しつつある。すなわち、携帯電話が、ネットワークプロバイダによって提供される特定のネットワークに適合し、かつ／または例えば色および形状の点において、さもなければ通信事業者特有サービスのイメージングにおいて、市場に現れる個別の外観に適合するソフトウェアを装備するように要求しつつある。
【０００３】
したがって、ネットワークプロバイダ（この用語はまた、以下の文において「通信事業者」も意味する）は、カスタマイズされたソフトウェアを携帯電話メーカーに求めているが、それは、例えば、市場におけるネットワークプロバイダの外観を象徴するディスプレイ用の背景画像、すなわち携帯電話上のグラフィック表示、特定の着信音、特定の呼び出し番号、例えば自動転送、メールボックス、メッセージサービス等のネットワークサービス用の設定と同様に、通信事業者特有サービスを指すかまたは既にそれらをマッピングし、かつ携帯電話に既に設定されているかまたは予め選択されたメニュー機能の特別な選択である。この場合におけるカスタム化プロセスは、主として、携帯電話などの移動無線端末におけるメニューベースユーザガイダンス、すなわち移動無線端末と、そのユーザとの間のユーザインタフェースに関するが、それは、そのグラフィカル使用面ならびに選択可能なメニューの範囲、タイプおよび内容の両方に関して、ネットワークプロバイダによって利用可能にされるサービスに適合しなければならない。
【０００４】
例えばＧＳＭおよびＵＭＴＳ移動無線ネットワーク用の周知の端末は、一般に、オペレーティングシステム（ＲＴＯＳ（ランタイムオペレーティングシステム））の固定コンポーネントであるメニューベースユーザガイダンスを有する。それは、端末におけるソフトウェアを修正することによって、端末メーカーだけが修正できる。これは、結果として、個別ネットワークプロバイダ用の端末のカスタム化に対しては、かなりの制限をもたらす。ソフトウェアは、容認できないほど高い実装コストでのみ修正することができ、したがって極めて柔軟さがなく、同時に高価である。さらに、これは、ネットワークプロバイダの商品化までの時間要件に起因する時間的制約を念頭におくと、容認できないほどの時間の不利益を含む。
【０００５】
オペレーティングシステムに統合された解決法に加えて、スマートフォンおよびＰＤＡ（携帯情報端末）用の専用オペレーティングシステムであるシンビアンＯＳオペレーティングシステムなど、移動無線端末用のいわゆるオープンオペレーティングシステムがある。これらのオープンオペレーティングシステムにおいて、ユーザインタフェースは、端末メーカーによってオペレーティングシステムに適用される。しかしながら、この解決法でさえ、柔軟性のないシステムに帰着し、ネットワークプロバイダの要件および要望に対して、わずかに適合できるだけである。
【発明の概要】
【発明が解決しようとする課題】
【０００６】
したがって、本発明は、次のような移動無線端末を開発する目的に基づいている。すなわち、ネットワークプロバイダ特有の要望および提供されるネットワークサービスに対する単純および効率的な適合を普遍的に可能にするユーザインタフェースであって、カスタム化に対して可能な最大の柔軟性を保証する目的で、特に、例えばネットワークサービスのアップグレードの結果として遡及的に実装されるユーザインタフェースの修正および／または追加に関する要求を適合させるユーザインタフェースが利用可能であるような移動無線端末を開発する目的に基づいている。本発明のさらなる目的は、ユーザインタフェースの実装用に必要な、およびユーザインタフェースの使用のために必要な手段を利用可能にすることである。
【課題を解決するための手段】
【０００７】
本発明によれば、この目的は、請求項１に記載の移動無線端末によって達成される。本発明の有利な改善が、従属請求項において特定される。
【０００８】
この場合に、次のことが特に有利である。すなわち、移動無線端末を制御するための、および／または移動無線ネットワークを介して呼び出すことができるサービスを利用するためのユーザインタフェースを有し、メニュー構造を有し、かつメニュー構造の視覚化用のグラフィカル使用面を有する移動無線端末であって、オペレーティングシステムによって制御される移動無線端末の場合に、ユーザインタフェースが、移動無線端末のオペレーティングシステムから独立して実装でき、特に、ネットワークプロバイダ特有のベースに基づいて実装できることと、ユーザインタフェース用に必要なデータが、移動無線端末から独立したメモリユニットから供給できることと、がとくに有利である。
【０００９】
これによって、ユーザインタフェースは、オペレーティングシステムから独立して実装すること、したがって端末自体から独立して設計することが可能になる。ユーザインタフェース用に必要なデータは、特に、メニュー構造を設定するために必要とされるのと同様に、メニュー構造の視覚化のためにメニュー構造をグラフィカル使用面で表示するために必要とされるデータを意味するように理解すべきである。
【００１０】
ネットワークプロバイダが、自分自身の市場外観およびサービス目録に従って端末をカスタマイズすることを可能にするユーザインタフェースを有する移動無線端末が提案される。例えば画像、音声またはビデオの形態におけるコンテンツは、標準実行環境において表示することができる。アプリケーションは、実行環境において実行することができる。端末のメニュー構造は、実行環境において表示することができる。移動無線に関連して、加入者は、自分自身のコンテンツ、例えば画像、音声、ビデオ、プログラム、および／またはプログラム部分を、端末の識別モジュールを介して、自動または選択的形態で提供される。ユーザインタフェースは、端末と、対応するネットワークプロバイダまたは他のあるサービスプロバイダのコンピュータとの間のデータリンクを介して、例えば更新のために、柔軟かつ容易に修正、削除、または完全に再ロードすることができる。
【００１１】
メニュー構造およびメニュー構造の視覚化用のグラフィカル使用面を用いて、このようなユーザインタフェースを移動無線端末と端末を用いるユーザとの間で実現するために、端末を制御するために、かつ／または電気通信ネットワークプロバイダもしくは第三者によって利用可能にされたサービスを利用するために、次のことが提案される。すなわち、ユーザインタフェースが、ネットワークプロバイダの市場外観および／またはサービス目録に従ってネットワークプロバイダによりカスタマイズされ得るように、かつこれが、アプリケーションに依存する端末から独立したメモリユニットに記憶され得るように、ユーザインタフェースを、端末のオペレーティングシステムから独立して実装することが提案される。これによって、可能な最大の柔軟性をネットワークプロバイダ用に達成することができるようになり、ネットワークプロバイダは、メニュー構造、メニュー内容および使用面のグラフィカル構成を自分自身で実現することができ、かつこれらを、単純かつコスト効率の良い方法で、遡及的に修正および／またはアップグレードすることができる。
【００１２】
ユーザインタフェースは、メニューガイダンスがグラフィカルおよびネットワークプロバイダ特有のベースに基づいて設計されたグラフィカル使用面の形態をしており、これによって、端末機能全体へのユーザアクセスが可能になり、全てのサービスと同様にさらなるデータおよびアプリケーションが、ネットワークプロバイダによって提供される。端末の識別モジュールは、ソフトウェアベースユーザインタフェース用のメモリユニットとして用いることができ、ユーザインタフェースは、これに基づいて一般的に実現することができる。例として、識別モジュールは、携帯電話のＳＩＭカード（加入者識別モジュール）またはＵＳＩＭカード（汎用加入者識別モジュール）であってもよい。
【００１３】
本発明における１つの代替的な改善において、ユニットは、コンピュータ、特にネットワークプロバイダまたは第三者のサーバであってもよく、これに基づいて使用面が実現される。この場合には、サーバへのデータリンクを設定するリンクが、識別モジュールに記憶される。例として、リンクは、ユニフォームリソースロケータ（ＵＲＬ）、すなわちワールドワイドウェブにおけるサーバアドレスであってもよく、これを介し、インターネットリンクすなわちオンラインデータリンクを通じて、ネットワークプロバイダまたは第三者のサーバにアクセスすることができる。
【００１４】
この場合に、ユーザインタフェースは、インターネットを介してサーバにアクセスしてオンラインメニュー構造の形態で用いることができる。しかしながら、好ましくは、ユーザインタフェースは、次のように構成してもよい。すなわち、ネットワークプロバイダまたは第三者のサーバへのリンクが、まず第一に、識別モジュールに記憶されたリンクの支援で設定され、次に、ユーザインタフェースのメニュー構造が、端末または識別モジュールにダウンロードされるように構成してもよい。これには、ネットワークプロバイダまたは第三者が、ユーザインタフェースの最新バージョンをサーバに常に保持することができ、これを加入者に利用可能にできるという利点がある。好ましくは、ユーザインタフェースは、このようにして後でメニュー構造をダウンロードできるようにするメニュー機能を有してもよい。これによって、ユーザインタフェースは、容易かつ迅速に更新することが可能になる。
【００１５】
本発明によれば、ユーザインタフェースのグラフィカル使用面は、端末のディスプレイにおける標準実行環境を用いて表示および制御することができる。端末の機能、またはネットワークプロバイダもしくは第三者のサービスを備えたメニューは、この場合には、実行環境を介して容易に選択可能である。
【００１６】
実行環境が、移動無線端末における使用のために最適化されたウェブブラウザであることは、特に有利である。最近、これは、現代の携帯電話のインターネット能力に基づいて、大部分の移動無線端末に既に利用可能であり、多数の異なるデータ形式を表示できるようにしている。新しいデータ形式も同様に、プラグインの使用によってブラウザで表示することができる。メニューベースユーザガイダンスを表示するために、識別モジュールの少なくとも一部は、ユーザインタフェースの使用面をブラウザで表示するために必要なデータを供給するｈｔｔｐサーバの形態であってもよい。この場合に、ユーザインタフェースは、マークアップ言語、特にＷＭＬ（ワイヤレスマークアップ言語）を用いてプログラムしてもよいが、このＷＭＬは、ワイヤレスアプリケーションプロトコル（ＷＡＰ）の一部であり、インターネット関連コンテンツを移動無線端末のブラウザで表示するために用いられる。代替として、例えば、インタフェースはまた、ＨＴＭＬ（ハイパーテキストマークアップ言語）、ＸＨＴＭＬ（拡張ハイパーテキストマークアップ言語）またはＸＭＬ（拡張マークアップ言語）を用いてプログラムしてもよい。
【００１７】
さらに、メモリユニットおよび／または端末に記憶されたネットワークプロバイダ特有データおよび／またはアプリケーションは、ユーザインタフェースと関連づけることができ、メニュー構造を介して選択することができ、かつブラウザで表示および／または実行することができる。例として、これは、例えばディスプレイ背景構成用のネットワークプロバイダ特有画像、着信音および音楽、ウェブページ、ビデオ、例えばメールボックス用もしくは情報サービス用のネットワークプロバイダ特有または他の特有の呼び出し番号と同様に、自動転送、メールボックス機能、メッセージサービスまたはネットワークベースのアドレス帳などのネットワークサービス用の設定パラメータに関係してもよい。
【００１８】
さらに、例として、アプリケーションは、ブラウザで表示および実行できるゲーム、またはコンピュータ、アドレス帳、テキスト生成もしくはカレンダなどの補助プログラムであってもよい。この目的のために、例として、Ｊａｖａ（登録商標）プラグインをブラウザに追加して、その機能を拡張し、かくして、Ｊａｖａ（登録商標）を用いてプログラムされたアプリケーションをブラウザで実行可能にすることができる。データおよび／またはアプリケーションは、それまでに、ネットワークプロバイダによって情報モジュールにロードしてもよい。代替としてまたは組み合わせて、その／それらのもしくはさらなるデータおよび／またはアプリケーションもまた、インターネットデータリンク、例えばＧＰＲＳリンク（グローバルパケット無線サービス）を介して、端末の使用中にサーバから携帯端末にダウンロードすることができ、そこに記憶するか、かつ／または識別モジュールに記憶することができ、そこでこれらは、既に記憶されたデータおよび／またはアプリケーションと一緒にユーザに利用可能になる。さらに、データおよび／またはアプリケーションは、代替としてまたは組み合わせて、サーバに保持することができ、サーバへのオンラインデータリンクを介して用いることができる。
【００１９】
本発明の１つの特定の実施変形において、ユーザインタフェースにおけるメニュー構造の一部、特に個々のサブメニューは、端末、またはネットワークプロバイダもしくは第三者のコンピュータに置いてもよい。これによって、メニュー構造から選択できる特定の機能、例えば、ブルートゥース、赤外線インタフェース、メモリカード管理、カメラなどの端末の機能性に関連する機能、またはディスプレイ輝度、ディスプレイ表示期間、ユーザプロファイル、キーの意味など、端末のオペレーティングパラメータに関する設定を端末に残すことが可能になり、その結果として、上位のメニューレベルは、ネットワークプロバイダによって個別に構成されて識別モジュールに記憶され、個別の端末特有のサブメニューは、端末メーカーによって構成されて端末のメモリに記憶され、ユーザインタフェースは、端末のＲＴＯＳのコンポーネントでも可能な個々のサブメニューによって補足される。
【００２０】
さらに加えて、個々のサブメニューはまた、識別モジュールのメモリ空間をなんとか節約するために、ネットワークプロバイダまたは第三者のサーバに記憶することができる。この場合には、例えば、たまにしか用いられないアプリケーション、例えば個々のゲームは、識別モジュールから移動することができる。サブメニューは、例えば、オンラインデータリンクを介してサーバに接続された高位のメニューからリンクによってアクセスしてもよい。
【００２１】
本発明によれば、上述の機能を備えたユーザインタフェースを有する移動無線端末の情報モジュールを提供することができる。この場合には、識別モジュールは、携帯電話のＳＩＭまたはＵＳＩＭカードを表すのが好ましく、このカード上にユーザインタフェースが実現される。この場合には、識別モジュールの少なくとも１つのサブエリアは、ｈｔｔｐサーバの形態であってもよく、このサーバが、ユーザインタフェースの使用面をブラウザで表示するために必要なデータを供給するが、この場合に、ユーザインタフェースは、マークアップ言語を用いてプログラムでき、ｈｔｔｐサーバに記憶することができる。
【００２２】
さらに、識別モジュールは、ネットワークによって提供される特有のコンテンツおよび／またはアプリケーションを含むメモリユニットを有してもよく、これらのコンテンツおよび／またはアプリケーションは、ユーザインタフェースのメニュー構造を介して選択することができ、かつブラウザで表示または実行することができる。この場合に、例として、これらは、例えばディスプレイ背景構成用のネットワークプロバイダ特有画像、着信音および音楽、ウェブページ、ビデオ、例えばメールボックス用もしくは情報サービス用のネットワークプロバイダ特有または他の特有の呼び出し番号と同様に、自動転送、メールボックス機能、メッセージサービスまたはネットワークベースのアドレス帳などのネットワークサービス用の設定パラメータであってもよく、これらは、特定の移動無線ネットワークの加入者用に予め設定される。さらに、例として、アプリケーションは、ブラウザで実行できるゲーム、またはコンピュータ、アドレス帳、テキスト生成もしくはカレンダなどの補助プログラムであってもよい。
【００２３】
電気通信用、すなわち移動無線用の携帯端末のユーザインタフェースにおけるメニューベースのグラフィカル使用面は、次のように制御される。すなわち、メニューガイダンスが、端末から独立した、かつユーザインタフェースのメニューを表示および選択できる実行環境において提供されるように、制御される。
【００２４】
この場合には、実行環境は、好ましくは、フルスクリーンモードで使用できる、携帯端末用に最適化されたブラウザであるのが好ましく、この環境では、端末ディスプレイは、そのエリアをコンテンツの表示用に完全に、すなわち１００％満たす。代替として、ブラウザは、表示領域のより少ない部分だけ、例えば８０％〜９５％を永続的に満たし、かくして、バッテリ表示、電波強度表示および／またはメッセージ表示（（メッセージ待機インジケータ）ＭＷＩ）などの基本情報を備えたステータスバーを端末ディスプレイに見えるままに保ち、かつブラウザコンテンツと同時にユーザに利用できるようにすることが可能である。
【００２５】
端末がスイッチオンされた後で、ネットワークプロバイダ特有のスタートページがブラウザで表示されるのが好ましい。第１のバージョンでは、これは、端末の識別モジュールからブラウザによってダウンロードすることができる。また、端末がスイッチオンされた後で、ネットワークプロバイダに特有のスタートページが、ブラウザで表示され、かつインターネットリンクすなわちオンラインデータリンクを介して、ネットワークプロバイダのコンピュータからブラウザによってダウンロードされるように、識別モジュールにおけるスタートページの代わりに、リンク、すなわちネットワークプロバイダまたは第三者のコンピュータ、特にサーバへのリンクを記憶することが可能である。
【００２６】
これはまた、識別モジュールまたは端末に永続的に記憶して、端末が次にスイッチオンされた場合に、このページがロードおよび表示されるようにすることができる。また、端末がスイッチオンされた後で、端末メーカーのスタートページをブラウザで表示することが可能であるが、このスタートページは、スタートページもコンピュータへのリンクも識別モジュールに記憶されていない場合に、端末からブラウザによってダウンロードされる。このスタートページは、好ましくは、端末メーカーの標準ページであってもよい。
【発明を実施するための形態】
【００２７】
本発明の有利な一実施形態を以下の文で例として説明する。
【００２８】
本発明によるユーザインタフェースを備えた移動無線端末としての携帯電話が、スイッチオンされた後で、携帯電話用に最適化された従来のウェブブラウザを、フルスクリーンモードでまたはディスプレイのセクションに、次のような方法で自動的に開始する。すなわち、バッテリ表示、電波強度表示および可能なＭＷＩなどの基本情報をユーザに提供するために、ステータスバーを、同じディスプレイまたは第２のディスプレイに表示できるような方法で開始する。携帯電話の代替として、本発明による方法およびユーザインタフェースはまた、国内使用のためのコードレス電話、例えばＤＥＣＴ（デジタル拡張コードレス電気通信）電話で用いることができる。
【００２９】
ブラウザは、本発明によるユーザインタフェースを備えた、ＨＴＭＬ、ＷＭＬ、ＸＭＬまたは同等のマークアッププログラミング言語の予め設定された（デフォルト）スタートページを開く。このページは、ＳＩＭ（加入者識別モジュール）のメモリに置かれ、通信事業者によって利用可能にされる。これは、メニューベースのグラフィカルガイダンスを表すが、この場合に、移動無線加入者は、このページを用いて電話機能および通信事業者サービスの両方を選択できるのと同様に、さらなる情報、例えば、音楽、画像、スピーチ、ゲームなどのコンテンツ、または自動転送および呼び出し応答機能、メッセージサービス、ネットワークベースのアドレス帳などの標準通信事業者サービスにアクセスすることができる。この場合には原則として、別個の端末メニュー機能は、必要とされない。しかしながら、任意の所望のサブメニューを選択してもよく、これらのサブメニューは、ＳＩＭカードもしくは端末に置かれるか、またはオンラインデータリンクを介したサーバへのリンクを提供する。
【００３０】
ＳＩＭカードに含まれるコンテンツは、それらにコンテンツを追加したり、または移動データリンクを介してネットワークプロバイダもしくはある他のコンテンツプロバイダからダウンロードされたコンテンツと取り替えることができる。ＳＩＭカードに置かれたアプリケーションは、例えばＪａｖａ（登録商標）技術によってブラウザ自体で、さもなければ端末のオペレーティングシステムもしくは他のミドルウェア層の両方で実行することができる。
【００３１】
ひとたびアプリケーションが呼び出されると、それは、ブラウザでディスプレイに表示することができる。アプリケーションを閉じた後で、スタートメニューを備えたページは、ブラウザで自動的に呼び出される。
【００３２】
開始時に、端末が、提案されたマークアップ形式の適切なメニュー構造をＳＩＭカード上で見つけられず、オンラインメニュー構造へのリンクもＳＩＭカード上で見つけられない場合には、端末メーカーによって定義された標準メニューが表示され、かくして、たとえネットワークプロバイダ特有ページがなくても携帯電話を使用できるようにする。
【００３３】
本発明は、移動無線端末用のユーザインタフェースを提案するが、このインタフェースでは、特定の実装を端末のオペレーティングシステムで行ってはならず、このインタフェースには、ブラウザで表示することができ、したがって端末に依存しない単に一般的な実装が含まれる。
【００３４】
さらに、端末のユーザインタフェースは、ネットワークプロバイダまたは通信事業者によって構成され、好ましくは、端末のＳＩＭまたはＵＳＩＭ上に供給される。ユーザガイダンス用のブラウザベース表示の１つの特定の利点は、電話機能および／またはネットワークサービスをブラウザから活性化する能力であり、この場合に、ユーザインタフェースは、移動無線端末のオペレーティングシステムに依存しないことによって、端末メーカーから独立して設計することができる。
【国際調査報告】
2011511494.tif 000002
2011511494.tif 000003
2011511494.tif 000004
2011511494.tif 000005
2011511494.tif 000006
2011511494.tif 000007